(57)【要約】【課題】固体撮像素子の放熱性を向上させる。【解決手段】デジタルカメラ１０は、本体ユニット１４と、本体ユニット１４の前面側に着脱される鏡胴ユニット１２とから構成される。鏡胴ユニット１２の背面側を構成する係合筒２２内には、ＣＣＤ２０が配置されている。ＣＣＤ２０は、係合筒２２の背面板２４に取りつけられる。本体ユニット１４は前面から背面まで貫通する開口３０を備え、係合筒２２がこの開口３０内に嵌め込まれることで、鏡胴ユニット１２と本体ユニット１４とが一体化される。本体ユニット１４の背面にはモニタ４０が軸着されている。モニタ４０は、本体ユニット１４の背面側から開口３０を覆う閉じ位置と、開口３０を開放し、背面板２４を露呈させ、ＣＣＤ２０からの熱を外部へ放出する開き位置との間で回動自在に保持されている。【選択図】        図３
2006317710.tif 000002
【特許請求の範囲】
【請求項１】
撮影レンズと、撮影レンズによって結像された被写体像を撮像する固体撮像素子と、カメラ本体の背面に配置され、固体撮像素子によって撮像された被写体像をスルー画表示するモニタとを備え、前記固体撮像素子が、前記撮影レンズと前記モニタとの間に配置されたデジタルカメラにおいて、
前記撮影レンズと前記固体撮像素子とが組み込まれ、後端部がカメラ本体に着脱される鏡胴ユニットを備えるとともに、
前記カメラ本体は、前記鏡胴ユニットの後端部をカメラ本体の背面側に露呈させる放熱用開口を備え、
前記モニタは、前記放熱用開口を覆う閉じ位置と、前記放熱用開口を開放する開き位置との間で移動自在に保持されていることを特徴とするデジタルカメラ。
【請求項２】
前記鏡胴ユニットは、前記カメラ本体の前面から背面側へ向けて窪むように設けられた格納用開口内に挿入されることで、前記カメラ本体に装着されることを特徴とする請求項１記載のデジタルカメラ。
【請求項３】
前記放熱用開口と、前記格納用開口とは、前記カメラ本体の前面から背面にかけて貫通する貫通穴として一体に形成されていることを特徴とする請求項２記載のデジタルカメラ。
【請求項４】
前記格納用開口は、前記カメラ本体の上下左右のいずれかの面に形成された切り欠きから構成されることを特徴とする請求項２または３記載のデジタルカメラ。
【請求項５】
前記切り欠きの近傍に軸着され、前記鏡胴ユニットの外周部を保持する保持位置と、前記鏡胴ユニットの外周部を露呈させる保持解除位置との間で回動自在の保持部材を設けたことを特徴とする請求項４記載のデジタルカメラ。
【請求項６】
一端部が前記カメラ本体の前面に軸着され、前記格納用開口を覆う閉口位置と、前記格納用開口を開放する開放位置との間で回動自在の蓋体を設けたことを特徴とする請求項２〜５いずれか１つ記載のデジタルカメラ。
【請求項７】
前記モニタの移動に連動して作動し、前記モニタが開き位置へ移動された際に電源をオンする電源スイッチを設けたことを特徴とする請求項１〜６いずれか１つ記載のデジタルカメラ。
【請求項８】
前記カメラ本体は、前面が中央凸形状に形成されていることを特徴とする請求項１〜７いずれか１つ記載のデジタルカメラ。
【発明の詳細な説明】
【技術分野】
【０００１】
本発明は、撮影レンズと、撮影レンズによって結像された被写体像を撮像する固体撮像素子と、カメラ本体の背面に配置され、固体撮像素子によって撮像された被写体像をスルー画表示するモニタとを備え、前記固体撮像素子が、前記撮影レンズと前記モニタとの間に配置されたデジタルカメラに関するものである。
【背景技術】
【０００２】
撮影レンズの背後にＣＣＤやＣＭＯＳなどの固体撮像素子が配置され、撮影レンズによって結像された被写体像を撮像信号として取得するデジタルカメラが広く普及している（例えば、下記特許文献１参照）。通常、デジタルカメラでは、前面側に撮影レンズが配置され、背面側に固体撮像素子によって撮像された被写体像をスルー画表示するモニタが配置されている。そして、これら撮影レンズとモニタとの間に固体撮像素子が配置される。
【特許文献１】特開平１０−１９１１３０号公報
【発明の開示】
【発明が解決しようとする課題】
【０００３】
しかしながら、従来のデジタルカメラでは、固体撮像素子が撮影レンズとモニタとの間、すなわち、デジタルカメラの中央部に配置されており、放熱性が悪いといった問題があった。
【０００４】
本発明は、固体撮像素子の放熱性を向上できるデジタルカメラを提供することを目的としている。
【課題を解決するための手段】
【０００５】
上記目的を達成するために、本発明のデジタルカメラは、撮影レンズと、撮影レンズによって結像された被写体像を撮像する固体撮像素子と、カメラ本体の背面に配置され、固体撮像素子によって撮像された被写体像をスルー画表示するモニタとを備え、前記固体撮像素子が、前記撮影レンズと前記モニタとの間に配置されたデジタルカメラにおいて、前記撮影レンズと前記固体撮像素子とが組み込まれ、後端部がカメラ本体に着脱される鏡胴ユニットを備えるとともに、前記カメラ本体は、前記鏡胴ユニットの後端部をカメラ本体の背面側に露呈させる放熱用開口を備え、前記モニタは、前記放熱用開口を覆う閉じ位置と、前記放熱用開口を開放する開き位置との間で移動自在に保持されていることを特徴としている。
【０００６】
前記鏡胴ユニットは、前記カメラ本体の前面から背面側へ向けて窪むように設けられた格納用開口内に挿入されることで、前記カメラ本体に装着されることが好ましい。
【０００７】
また、前記放熱用開口と、前記格納用開口とは、前記カメラ本体の前面から背面にかけて貫通する貫通穴として一体に形成されていることが好ましい。
【０００８】
前記格納用開口は、前記カメラ本体の上下左右のいずれかの面に形成された切り欠きから構成されたものでもよい。
【０００９】
また、前記切り欠きの近傍に軸着され、前記鏡胴ユニットの外周部を保持する保持位置と、前記鏡胴ユニットの外周部を露呈させる保持解除位置との間で回動自在の保持部材を設けてもよい。
【００１０】
さらに、一端部が前記カメラ本体の前面に軸着され、前記格納用開口を覆う閉口位置と、前記格納用開口を開放する開放位置との間で回動自在の蓋体を設けることが好ましい。
【００１１】
また、前記モニタの移動に連動して作動し、前記モニタが開き位置へ移動された際に電源をオンする電源スイッチを設けてもよい。
【００１２】
さらに、前記カメラ本体は、前面が中央凸形状に形成されていることが好ましい。
【発明の効果】
【００１３】
本発明のデジタルカメラは、モニタによって開閉される放熱用開口から、固体撮像素子の組み込まれたレンズ鏡胴を露呈させることで、固体撮像素子の放熱性を向上できる。
【発明を実施するための最良の形態】
【００１４】
本発明を適用したデジタルカメラの前面側外観図を図１に、背面側外観図を図２にそれぞれ示す。デジタルカメラ１０は、鏡胴ユニット１２と、本体ユニット１４とから構成される。鏡胴ユニット１２は、本体ユニット１４に対して着脱自在に設けられ、撮影の際に本体ユニット１４の前面に取り付けられる。
【００１５】
鏡胴ユニット１２は、撮影レンズ１６を保持したレンズ鏡胴１８と、ＣＣＤ２０を保持した係合筒２２とから構成され、前面側にレンズ鏡胴１８が配置され、背面側に係合筒２２が配置されている。ＣＣＤ２０は、周知のように、受光量に応じた電荷を蓄積する複数の受光素子が配列された受光面を備え、撮影レンズ１６によって受光面に結像された被写体像を撮像信号として取得する。ＣＣＤ２０は、係合筒２２の背面を構成する背面板２４に取り付けられる。背面板２４は、例えば、アルミなど放熱性の高い材料から形成され、係合筒２２内に配置されたＣＣＤ２０からの熱を鏡胴ユニット１２外へ放出する機能を有する。
【００１６】
本体ユニット１４は、前面から背面まで貫通するように設けられた開口３０を備えている。開口３０は、その内周が係合筒２２の外周よりも僅かに大きく形成されている。鏡胴ユニット１２は、係合筒２２が開口３０内に嵌め込まれることによって本体ユニット１４に装着される。係合筒２２の外壁には端子３１が設けられ、開口３０の内壁には端子３２が設けられており、鏡胴ユニット１２が本体ユニット１４に装着されると、端子３１と端子３２とが当接し、鏡胴ユニット１２と本体ユニット１４とが電気的に接続されるようになっている。
【００１７】
また、係合筒２２の外壁には係合突起３３、３４が設けられ、開口３０の内壁には係合穴３５、３６が設けられている。係合突起３３、３４は、係合筒２２の軸方向の断面が山型を描くように湾曲された板バネから構成される。そして、係合突起３３、３４は、係合筒２２が開口３０内に嵌め込まれる過程において、係合筒２２の外壁に沿って延びるように弾性変形した後、係合筒２２が完全に開口３０内に嵌め込まれると、再び湾曲して係合穴３５、３６に係合する。これにより、鏡胴ユニット１２が本体ユニット１４から脱落してしまうといったことがない。また、使用者が鏡胴ユニット１２を本体ユニット１４から離すように引くことで、係合突起３、３４が弾性変形し、鏡胴ユニット１２を本体ユニット１４から取り外すことができる。
【００１８】
本体ユニット１４には、撮影指示を入力するためのシャッタボタン３７や、撮影を行う際に選択される撮影モード、撮影済みの画像を再生する際に選択される再生モード、各種設定を行う際に選択されるメニューモードの各モードを切り替えるためモード選択ボタン３８など各種操作部材が設けられている。デジタルカメラ１０は、これら操作部材から入力される操作信号に基づいて、各部の駆動制御を行う。
【００１９】
本体ユニット１４の背面には、モニタ４０が配置されている。モニタ４０は、各種画面を表示する表示パネル４２と、この表示パネル４２を保持するベース４４とから構成される。表示パネル４２としては、例えば、液晶ディスプレイ（ＬＣＤ）などが用いられる。表示パネル４２には、撮影モードにおいてはいわゆるスルー画が表示され、再生モードにおいては撮影済みの画像が再生表示され、メニューモードにおいては各種設定を行うためのメニュー画面が表示される。
【００２０】
他方、ベース４４は、矩形板状に形成され、上辺が本体ユニット１４の背面に設けられた軸４６に軸着され、図３（Ａ）に示す閉じ位置と、同図（Ｂ）に示す開き位置との間で回動する。閉じ位置は、モニタ４０が本体ユニット１４の背面と対面し、本体ユニット１４の背面側から開口３０を覆う位置である。また、開き位置は、モニタ４０が本体ユニット１４の背面から遠ざかるように回動され、開口３０を開放し、背面板２４を露呈させる位置である。
【００２１】
以下、上記構成による本発明の作用について説明する。デジタルカメラ１０を用いて撮影を行う際には、係合筒２２を開口３０内に嵌め込むことで、鏡胴ユニット１２と本体ユニット１４とを一体化する。そして、デジタルカメラ１０を撮影モードにセットし、モニタ４０に表示されるスルー画を観察してフレーミングを行った後、シャッタボタン３７を押下することで撮影を行うことができる。
【００２２】
撮影に伴ってＣＣＤ２０が高温になった場合は、モニタ４０を開き位置へ回動させる。これにより、開口３０から係合筒２２の背面板２４が露呈され、ＣＣＤ２０からの熱を外部へ放出することができる。
【００２３】
なお、本発明は、モニタを開き位置へ移動させることによってＣＣＤからの熱を外部へ放出すればよいので、各部の構成は上記実施形態に限定されるものではない。例えば、上記実施形態では、係合筒、並びに、係合筒が嵌め込まれる開口の断面が共に円形である例で説明をしたが、断面が角形やＤ字型の係合筒や開口を用いてもよい。
【００２４】
また、図４に示すデジタルカメラ５０のように、切り欠き状の開口５２を設けるといったことも考えられる。このデジタルカメラ５０では、本体ユニット５４の下面を切り欠くことによって開口５２を形成している。開口５２の内側面には本体ユニット５４の前面側から背面側へ長い一対の突起５２ａ、５２ｂが形成されている。一方、鏡胴ユニット５６は、係合筒５７の側面に突起５２ａ、５２ｂと係合するスライド溝５７ａ、５７ｂが設けられている。そして、鏡胴ユニット５６は、突起５２ａ、５２ｂとスライド溝５７ａ、５７ｂとが係合するように開口５２内に装着される。このように突起とスライド溝とを係合させることで、切り欠き形状の開口を用いても鏡胴ユニットが本体ユニットから脱落してしまうことがない。なお、図４以降の図面においては、上述した実施形態と同様の部材については同様の符号を付して説明を省略している。
【００２５】
さらに、図４に示す例では、突起とスライド溝とを係合させ鏡胴ユニットを保持する例で説明をしたが、図５に示すデジタルカメラ６０のように、回動自在の保持部材６２によって鏡胴ユニット６４を保持してもよい。このデジタルカメラ６０では、本体ユニット６６の下面を切り欠くことによって開口６８を形成するとともに、保持部材６２を本体ユニット６６の下面に設けられた軸６９に軸着している。保持部材６２には、本体ユニット６６の側面に設けられた溝６６ａと係合する突起６２ａが設けられている。そして、保持部材６２は、突起６２ａを溝６６ａに係合させ、鏡胴ユニット６４を側面側から保持する保持位置と、突起６２ａと溝６６ａとの係合を解除して、鏡胴ユニット６４の保持を解除する解除位置との間で回動する。
【００２６】
また、図６（Ａ）に示すデジタルカメラ７０のように、開口７２を本体ユニット７４の前面側から開閉する蓋体７６を設けるといったことも考えられる。このデジタルカメラ７０では、断面が角型に形成された係合筒７８を有する鏡胴ユニット８０を用いるとともに、この係合筒７８に対応させ、開口７２の断面を角型に形成している。
【００２７】
図６（Ｂ）に示すように、蓋体７６は、本体ユニット７４の前面側に配置され、上辺が開口７２の上面に軸着され回動自在に保持されるとともに、図示しないバネにより、開口２を塞ぐ閉口位置へと付勢されている。そして、係合筒７８をバネの付勢に抗して開口７２内に押し込むことで、蓋体７６が開口７２を開放する開放位置へと移動され、鏡胴ユニット８０が本体ユニット７４に装着される。
【００２８】
このデジタルカメラによれば、蓋体とモニタにより本体ユニットの前面側と背面側の両側から開口を塞ぐことができるので、鏡胴ユニットを取り外した状態で本体ユニットを保管する際に、開口内に異物が侵入するとった問題を防止できる。
【００２９】
なお、図６の例では、本体ユニットの前面と垂直な方向に回動する蓋体を設ける例で説明をしたが、図７に示すデジタルカメラ８１のように、本体ユニット８２の前面と平行な面内で回動する蓋体８４によって、開口３０を開閉してもよい。また、モニタを開き位置へ移動させた際に、本体ユニットの背面側から開口内に異物が侵入してしまうといったことも考えられるので、金網などメッシュ状の部材によって、本体ユニットの背面側から開口を覆うといったことも考えられる。メッシュ状の部材を用いることで放熱性を低下させることなく開口内への異物侵入を防止できる。
【００３０】
さらに、モニタの回動に伴ってデジタルカメラの電源のオンオフを切り替えるといったことも考えられる。この場合、図８に示すデジタルカメラ９０ように、本体ユニット９２の背面側に電源スイッチ９４を設ける。電源スイッチ９４は、押圧検知式のプッシュスイッチから構成され、モニタ４０の移動経路上に押圧部９６が配置されている。
【００３１】
そして、電源スイッチ９４は、図８（Ａ）に示すように、モニタ４０が開き位置へ移動され、押圧部９６が本体ユニット９２の背面から突出するとデジタルカメラ９０の電源をオンする。また、電源スイッチ９４は、同図（Ｂ）に示すように、モニタ４０が閉じ位置へ移動され、押圧部９６が本体ユニット９２の内側へ押し込まれると、デジタルカメラ９０の電源をオフする。このように、モニタを開き位置に移動することでデジタルカメラの電源がオンされるようにすれば、デジタルカメラの使用中は常にＣＣＤからの熱が外部に放出されるので便利である。
【００３２】
また、図９に示すデジタルカメラ１００のように、本体ユニット１０２の前面側を中央凸形状に形成してもよい。また、このデジタルカメラ１００では、鏡胴ユニット１０４のうち、本体ユニット１０２の前面と対面する部位を中央凹形状に形成している。このように、本体ユニットの前面を中央凸形状に形成することで、鏡胴ユニットの突出が強調されることなく、デジタルカメラの外観のデザイン性を向上できる。
【００３３】
さらに、上記実施形態では、本体ユニットの開口が、本体ユニットの前面側と背面側とで同一形状である例で説明をしたが、本発明はこれに限定されるものではない。例えば、本体ユニットの開口の形状を、鏡胴ユニットの後端部を格納する部分と、鏡胴ユニットの後端面を露呈させ、ＣＣＤからの熱気を排出する部分とで異ならせてもよい。この場合、鏡胴ユニットの後端部を格納する部分は、鏡胴ユニットの後端部の形状に応じて開口形状を決定し、ＣＣＤからの熱気を排出する部分は、複数のスリット状の開口を設けるといったことが考えられる。また、前記鏡胴ユニット内と撮影レンズは、反射部材を利用した屈折光学系を有する光学系であってもよい。
【００３４】
なお、上記実施形態では、モニタを回動させることで、開口を開閉する例で説明をしたが、本発明はこれに限定されるものではない。スライド式のモニタを用い、モニタをスライドさせることで開口を開閉してもよい。
【図面の簡単な説明】
【００３５】
【図１】デジタルカメラの前面側外観図である。
【図２】デジタルカメラの背面側外観図である。
【図３】モニタの移動により開口が開閉される様子を表す説明図である。
【図４】切り欠き状の開口を設けたデジタルカメラの前面側外観図である。
【図５】切り欠き状の開口を設けたデジタルカメラの前面側外観図である。
【図６】本体ユニットの前面側から開口を開閉する蓋体を設けたデジタルカメラの説明図である。
【図７】本体ユニットの前面側から開口を開閉する蓋体を設けたデジタルカメラの説明図である。
【図８】モニタの移動により電源のオンオフを切り替えるデジタルカメラの説明図である。
【図９】本体ユニットの前面側を中央凸形状にしたデジタルカメラの説明図である。
【符号の説明】
【００３６】
１０、５０、６０、７０、８１、９０、１００  デジタルカメラ
１２、５６、６４、８０、１０４  鏡胴ユニット
１４、５４、６６、７４、８２、９２、１０２  本体ユニット
１６  撮影レンズ
１８  レンズ鏡胴
２０、ＣＣＤ
２２、５７、７８  係合筒
２４  背面板
３０、５２、６８、７２  開口
４０  モニタ
７６、８４  蓋体
９４  電源スイッチ
【図１】
2006317710.tif 000003
【図２】
2006317710.tif 000004
【図３】
2006317710.tif 000005
【図４】
2006317710.tif 000006
【図５】
2006317710.tif 000007
【図６】
2006317710.tif 000008
【図７】
2006317710.tif 000009
【図８】
2006317710.tif 000010
【図９】
2006317710.tif 000011